(57)【要約】【課題】  ユーザに取得先を選択する操作を強いることなく、各グループに設定された認証レベルごとに必要なオリジナルデータを決められた取得先から取得して出力ですることである。【解決手段】  読取手段により読み取られた複数ページ分のオリジナルデータをグループ化する。そして、グループ化された各グループに所定の認証レベルを設定する。そして、設定された所定の認証レベル毎に、各グループのオリジナルデータを取得するためのリンク情報を付加する。さらに、ユーザの認証レベルに基づいて、前記リンク情報を参照して印刷すべきグループの各オリジナルデータの取得先を切り替えて、該取得先から認証レベルに適応したオリジナルデータを取得して出力する構成を特徴とする。【選択図】  図１
2007166058.tif 000002
【特許請求の範囲】
【請求項１】
読取手段で読み取られる原稿のオリジナルデータを登録先から取得して出力する画像処理装置であって、
前記読取手段により読み取られた複数ページ分のオリジナルデータをグループ化するグループ化手段と、
前記グループ化手段でグループ化された各グループに認証レベルを設定する設定手段と、
設定された認証レベル毎に、各グループのオリジナルデータを取得するためのリンク情報を付加する付加手段と、
ユーザの認証レベルに基づいて、前記リンク情報を参照して印刷すべきグループの各オリジナルデータの取得先を切り替える制御手段と、
を有することを特徴とする画像処理装置。
【請求項２】
前記読取手段により読み取られた画像データを解析して得られるポインタ情報に基づいて、オリジナルデータのリンク情報を探索することを特徴とする請求項１の画像処理装置。
【請求項３】
前記ポインタ情報は、オリジナルデータのリンク情報を管理している所在情報であることを特徴とする請求項１の画像形成装置。
【請求項４】
前記データ処理装置は、ユーザの認証レベルと出力履歴との対応を管理する管理テーブルを備え、
前記制御手段は、前記読取手段により読み取られた画像データを解析して得られるポインタ情報を検出した場合に、前記管理テーブルを参照して、オリジナルデータの取得先を切り換えることを特徴とする請求項１の画像処理装置。
【請求項５】
読取手段で読み取られる原稿のオリジナルデータを登録先から取得して出力する画像処理装置の出力制御方法であって、
前記読取手段により読み取られた複数ページ分のオリジナルデータをグループ化するグループ化ステップと、
前記グループ化ステップでグループ化された各グループに認証レベルを設定する設定ステップと、
設定された認証レベル毎に、各グループのオリジナルデータを取得するためのリンク情報を付加する付加ステップと、
ユーザの認証レベルに基づいて、前記リンク情報を参照して印刷すべきグループの各オリジナルデータの取得先を切り替える制御ステップを有することを特徴とする出力制御方法。
【請求項６】
前記読取手段により読み取られた画像データを解析して得られるポインタ情報に基づいて、オリジナルデータのリンク情報を探索することを特徴とする請求項５の出力制御方法。
【請求項７】
前記ポインタ情報は、オリジナルデータのリンク情報を管理している所在情報であることを特徴とする請求項５の出力制御方法。
【請求項８】
前記データ処理装置は、ユーザの認証レベルと出力履歴との対応を管理する管理テーブルを備え、
前記制御ステップは、前記読取手段により読み取られた画像データを解析して得られるポインタ情報を検出した場合に、前記管理テーブルを参照して、オリジナルデータの取得先を切り換えることを特徴とする請求項５の出力制御方法。
【請求項９】
請求項５〜８のいずれかに記載の出力制御方法を実行させるためのプログラムを格納したことを特徴とするコンピュータが読み取り可能な記憶媒体。
【請求項１０】
請求項５〜８のいずれかに記載の出力制御方法を実行させることを特徴とするプログラム。
【発明の詳細な説明】
【技術分野】
【０００１】
本発明は、ユーザの認証レベルに応じて、オリジナルデータの取得先を切り替えてオリジナルデータの出力を制御する画像処理装置に関するものである。
【背景技術】
【０００２】
従来から、原稿画像のオリジナルデータの格納位置を示す情報（ポインタ情報）をバーコードなどの形態で付加することが行なわれている。そして、そのような原稿をスキャナ等の画像読取装置で読み取り、読み取った原稿画像中のポインタ情報に基づいてオリジナル原稿画像データを取得することが行なわれている。
【０００３】
この技術を用いると、例えば、取得した原稿画像データを印刷することにより従来の原稿複写による画像劣化を防ぐことができる。
【０００４】
そして、１枚の原稿中に複数の画像データのポインタ情報を付加することにより、１枚の原稿から複数の画像データを取得可能にすることも行なわれている（例えば、特許文献１参照）。
【特許文献１】特開2004-252843号公報
【発明の開示】
【発明が解決しようとする課題】
【０００５】
このような、複数のオリジナルデータへのポインタ情報を持つ原稿を読み取った場合、一旦サムネイルなどのプレビュー表示を行い、その後、プレビューされたサムネイルを見ながら必要なデータを選択して印刷を行っていた。そのため、複数データの中からユーザが必要なデータを探す手間がかかってしまい、効率よくオリジナル原稿を出力できず、ユーザの利便性が損なわれてしまう等の課題があった。
【０００６】
本発明は、上記の課題を解決するためになされたもので、本発明の目的はユーザに取得先を選択する操作を強いることなく各グループに設定された認証レベルごとに必要なオリジナルデータを決められた取得先から取得して出力できる仕組みを提供することである。
【課題を解決するための手段】
【０００７】
上記目的を達成する本発明の画像処理装置は以下に示す構成を備える。
【０００８】
読取手段で読み取られる原稿のオリジナルデータを登録先から取得して出力する画像処理装置であって、前記読取手段により読み取られた複数ページ分のオリジナルデータをグループ化するグループ化手段と、前記グループ化手段でグループ化された各グループに認証レベルを設定する設定手段と、設定された認証レベル毎に、各グループのオリジナルデータを取得するためのリンク情報を付加する付加手段と、ユーザの認証レベルに基づいて、前記リンク情報を参照して印刷すべきグループの各オリジナルデータの取得先を切り替える制御手段と、を有することを特徴とする。
【０００９】
上記目的を達成する本発明の出力制御方法は以下に示す構成を備える。
【００１０】
読取手段で読み取られる原稿のオリジナルデータを登録先から取得して出力する画像処理装置の出力制御方法であって、前記読取手段により読み取られた複数ページ分のオリジナルデータをグループ化するグループ化ステップと、前記グループ化ステップでグループ化された各グループに認証レベルを設定する設定ステップと、設定された認証レベル毎に、各グループのオリジナルデータを取得するためのリンク情報を付加する付加ステップと、ユーザの認証レベルに基づいて、前記リンク情報を参照して印刷すべきグループの各オリジナルデータの取得先を切り替える制御ステップを有することを特徴とする。
【発明の効果】
【００１１】
本発明によれば、ユーザに取得先を選択する操作を強いることなく、各グループに設定された認証レベルごとに必要なオリジナルデータを決められた取得先から取得して出力することができる。
【発明を実施するための最良の形態】
【００１２】
次に本発明を実施するための最良の形態について図面を参照して説明する。
【００１３】
＜システム構成の説明＞
〔第１実施形態〕
以下、図面を参照して本発明の実施の形態を説明する。
【００１４】
図１は、本発明の第１実施形態を示す画像処理装置を適用可能な画像処理システムの一例を示す図である。
【００１５】
図１において、２００はインターネット通信網である。２０１は所定のＯＳがインストールされてデータ処理サービスを行うウェブサーバである。そして、ウェブサーバ２０１は、インターネット２００上に接続され、インターネットユーザーに特定のサービスを提供する。
【００１６】
２０４は個人ユーザの端末とインターネット２００との接続処理を行うサービスプロバイダである。なお、サービスプロバイダ２０４は、所定のＯＳがインストールされてデータ処理サービスを行う。
【００１７】
２０３はファイアーウォールであり、これにより下に図示したＬＡＮ２０１１内部と外部通信網（インターネット２００）とを接続し、セキュリティー管理などを行う。
【００１８】
２１０は機器管理サーバで、ＬＡＮ２０１１で接続された２１１〜２１４、２２０の各機器を管理する。２１１はファイルサーバであり、ＬＡＮ２０１１で接続された複数のユーザがデータを共有することができる。
【００１９】
２２０はデジタル複写機などの画像処理装置であり、主に画像の入出力機能を有する。
【００２０】
この画像処理装置２２０において、１４０はユーザが各種の操作を行うための操作部である。１０はイメージスキャナで、操作部１４０やパソコン２１２、２１３からの指示にしたがって画像を読み取る。２０はプリンタで、パソコン２１２、２１３やファイルサーバ２１１からのデータを用紙に印刷する。
【００２１】
３０はコントローラユニットであり、操作部１４０やパソコン２１２、２１３からの指示に基づいてスキャナ部１０、プリンタ部２０に対する画像データの入出力の制御を行う。
【００２２】
例えば、スキャナ１０が取り込んだ画像データをコントローラ内部のメモリに蓄積したり、パソコン２１２、２１３に出力したり、あるいはプリンタ２０で印刷するなどの制御を行う。
【００２３】
２１４はプリンタであり、パソコン２１２、２１３やファイルサーバ２１１からの画像データを記録媒体上にプリントすることができる。２１２、２１３は端末装置として接続されたパソコンである。インターネット２００を介してウェブサーバ２０１から提供された情報を閲覧したり、画像データを画像形成装置２２０やプリンタ２１４に出力したりすることができる。
【００２４】
なお、上記構成はインターネットにファイアーウォール２０３を介してＬＡＮ２０１１が接続されている構成となっているが、サービスプロバイダ２０４を介してファイアーウォールが接続される構成でもかまわない。
【００２５】
また、上記各サーバ、パソコン２１２、２１３等には、ＣＰＵ，ＲＡＭ，ＲＯＭを含むコントロールユニットと、表示装置、キーボード等の入出力デバイスや、ハードディスク等を備えている。そして、ハードディスク等に記憶されたＯＳをＲＡＭ上にロードし、さらに、各種のアプリケーションプログラムをＣＰＵが実行することで、各種のデータ処理を行う。
【００２６】
また、上記各サーバ、パソコン２１２、２１３等には、ネットワークを介して相互に通信するためのネットワークコントローラ（ＮＩＣ）等を備え、所定のプロトコルで通信可能に構成されている。
【００２７】
図２は、図１に示した画像処理装置２２０の外観構成を説明する図である。
【００２８】
図２において、画像入力デバイスであるスキャナ部１０は、原稿画像をランプにより照射し、ＣＣＤラインセンサ（図示せず）で読み取り、電気信号に変換することで画像データとして処理を行う。原稿用紙を原稿フィーダ１４２にセットし、装置使用者が操作部１４０から読み取り起動指示することにより、フィーダ１４２は原稿用紙を１枚ずつフィードし原稿画像の読み取り動作を行う。
【００２９】
画像出力デバイスであるプリンタ部２０は、画像データを用紙上の画像に変換する部分である。本実施形態では、感光体ドラムや感光体ベルトを用いた電子写真方式により説明を行うが、微少ノズルアレイからインクを吐出して用紙上に直接画像を印字するインクジェット方式等であっても構わない。プリント動作の起動は、装置内部のコントローラ（後述）からの指示によって開始する。プリンタ部２０には、異なる用紙サイズまたは異なる用紙向きを選択できるように複数の給紙段を持ち、それに対応した用紙カセット２１０１、２１０２、２１０３、２１０４がある。また、画像形成された用紙は排紙トレイ１３２上に排出される。
【００３０】
図３は、図２に示した画像処理装置の構成を説明する断面図である。
【００３１】
図３において、１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。
【００３２】
１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。
【００３３】
撮像素子１０８からの画像信号出力は例えば８ビットのデジタルデータに変換された後、コントローラ部１３９に入力される。また、１１０は感光ドラムであり、前露光ランプ１１２によって画像形成に備えて除電される。
【００３４】
１１３は１次帯電器であり、感光ドラム１１０を一様に帯電させる。１１７は露光手段であり、例えば半導体レーザである。露光手段１１７は、画像形成や装置全体の制御を行うコントローラ部１３９で処理された画像データに基づいて感光ドラム１１０を露光し、静電潜像を形成する。
【００３５】
１１８は現像器であり、黒色の現像剤（トナー）が収容されている。１１９は転写前帯電器であり、感光ドラム１１０上に現像されたトナー像を用紙に転写する前に高圧をかける。
【００３６】
１２０、１２２、１２４、１４２、１４４は給紙ユニットであり（１２０は手差し給紙ユニット）である。
【００３７】
１２１、１２３、１２５、１４３、１４５は給紙ローラで、これらの駆動により、転写用紙が装置内へ給送される。１２６はレジストローラ１２６で、給送さえる用紙がこの配設位置で一旦停止し、感光ドラム１１０に形成された画像との書き出しタイミングがとられ再給送される。
【００３８】
１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。
【００３９】
１２９は搬送ベルトで、転写プロセスの終了した転写用紙を定着器１３０に搬送し、例えば熱により定着される。１３１はフラッパであり、定着プロセスの終了した転写用紙の搬送パスを、ソーター１３２または中間トレイ１３７の配置方向のいずれかに制御する。
【００４０】
また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００４１】
１３９は排紙カウンタで、印刷された用紙が本体の外へ排紙されるたびにカウントアップされ、１つのジョブが終了するとカウンタ値がクリアされる。
【００４２】
コントローラユニット３には後述するマイクロコンピュータ、画像処理部等を備えており、操作部１４０からの指示に従って、前述の画像形成動作を行う。
【００４３】
図４は、図２に示した操作部１４０の構成を説明する平面図である。
【００４４】
図４において、ＬＣＤ表示部１０３２は、ＬＣＤ上にタッチパネルシートが貼られており、システムの操作画面を表示するとともに、表示してあるキーが押されるとその位置情報をコントローラユニット３０に伝える。
【００４５】
テンキー１０２８はコピー枚数など、数字の入力時に使用する。スタートキー１０２９は原稿画像の読み取り動作を開始する時などに用いる。ストップキー１０３０は稼働中の画像処理装置の動作を止めるときに使用する。リセットキー１０３１は操作部からの設定を初期化する時に用いる。
【００４６】
また、１０２３はガイドキーであり、キーの機能が解らないとき押すとそのキーの説明が表示される。１０２４はコピーモードキーであり、複写を行うときに押す。１０２５はファクスキーであり、ファクスに関する設定を行うときに押す。１０２６はファイルキーであり、ファイルデータを出力したいときに押す。１０２７はプリンタキーであり、コンピュータ等の外部装置からのプリント出力に関する設定などを行うときに使用する。
【００４７】
１０３１は、音声ガイドキーであり、音声によるガイドを行うときに、キーを押下して設定を行い、設定をオフにする場合には再度、押下して設定を解除することができる。
【００４８】
５０１はスピーカーで、音声によるガイドがスピーカーを通して出力する。５０２はハンドセットであり、これを使用して音声を入力したり、音声ガイドを聞くことができる。ハンドセット５０２は、操作部１４０に一体として構成する必要はなく、分離してハンドセット５０２がＲＪ１１等のジャックを介して通信処理部と接続されている構成であってもよい。
【００４９】
図５は、図４に示した操作パネル１４０のＬＣＤ表示部に表示される基本画面を示す図である。
【００５０】
図５において、１００１は拡張機能キーであり、このキー１００１を押すことによって両面複写、多重複写、移動、とじ代の設定、枠消しの設定等のモードに入る。
【００５１】
１００２は画像モードキーであり、複写画像に対して網掛け、影付け、トリミング、マスキングを行うための設定モードに入る。１００３はユーザーモードキーであり、モードメモリの登録、標準モード画面の設定がユーザごとに行える。
【００５２】
１００４は応用ズームキーであり、原稿のＸ方向、Ｙ方向を独立に変倍するモード、原稿のサイズと複写サイズから変倍率を計算するズームプログラムのモードに入る。
【００５３】
１００５、１００６、１００７はＭ１キー、Ｍ２キー、Ｍ３キーであり、それぞれのモードメモリを呼び出す際に押す。１００８はコールキーであり、前回設定されていた複写モードを呼び出す際に押す。
【００５４】
１００９はオプションキーであり、フィルムから直接複写するためのフィルムプロジェクター等のオプション機能の設定を行う。１０１０はソーターキーであり、ソート出力、グループ出力等のモード設定を行う。
【００５５】
１０１１は原稿混載キーであり、原稿フィーダにＡ４サイズとＡ３サイズ、またはＢ５サイズとＢ４サイズの原稿を一緒にセットする際に押す。
【００５６】
１０１２は等倍キーであり、複写倍率を１００％にする際に押す。１０１３は用紙選択キーであり、複写用紙の選択を行う際に押す。１０１４、１０１５はそれぞれ縮小キー、拡大キーであり、定形の縮小、拡大を行う際に押す。
【００５７】
１０１６はズームキーであり、１％刻みで非定形の縮小、拡大を行う際に押す。１０１７は濃度表示であり、濃度キーを押すと表示が左右へ変化する。
【００５８】
１０１８、１０２０は濃度キーであり、１０１８を押すごとに濃く複写され、１０２０を押すごとに薄く複写される。１０１９はＡＥキーであり、新聞のように地肌の濃い原稿を自動濃度調整複写するときに押す。
【００５９】
１０２１はＨｉＦｉキーであり、写真原稿のように中間調の濃度が多い原稿の複写の際に押す。１０２２は文字強調キーであり、文字原稿の複写で文字を際立たせたい場合に押下する。
【００６０】
図６は、図１に示した画像処理装置２２０のスキャナ１０、プリンタ２０の構成を示すブロック図である。
【００６１】
図６において、７５１はスキャナ１０全体の制御を行うＣＰＵであり、制御プログラムを記憶した読み取り専用メモリ７５３（ＲＯＭ）からプログラムを順次読み取り実行する。ＣＰＵ７５１のアドレスバス、データバスはバスドライバ／アドレスデコーダ７５２からなる回路を介して各負荷に接続されている。また、コントローラユニット３０のＣＰＵと接続され、通信を行う。
【００６２】
７５４は入力データの記憶や作業用記憶領域等として用いる主記憶装置としてのランダムアクセスメモリ（ＲＡＭ）である。７５５はＩ／Ｏインターフェースであり、給紙系、搬送系、光学系の駆動を行うモーター類７５６、ランプ類７５７、また、搬送される用紙を検知する紙検知センサ類７５８等の装置の各負荷に接続される。
【００６３】
また、ＣＣＤユニット１０６により読み込まれた画像データは、コントローラ３０に転送される。
【００６４】
プリンタ２０において、７０１は前記プリンタ２０の制御を行うＣＰＵであり、制御手順（制御プログラム）を記憶した読み取り専用メモリ７０３（ＲＯＭ）からプログラムを順次読み取り、実行する。
【００６５】
ＣＰＵ７０１のアドレスバスおよびデータバスはバスドライバ／アドレスデコーダ７０２をへて各負荷に接続されている。
【００６６】
また、７０４は入力データの記憶や作業用記憶領域等として用いる主記憶装置であるところのランダムアクセスメモリ（ＲＡＭ）である。７０５はＩ／Ｏインターフェースであり、給紙系、搬送系、光学系の駆動を行うデバイスに接続される。これらのデバイスには、モーター類７０７、クラッチ類７０８、ソレノイド類７０９、搬送される用紙を検知するための紙検知センサ類７１０等が含まれている。
【００６７】
現像器１１８には現像器内のトナー量を検知する７１１のトナー残検センサが配置されており、その出力信号がＩ／Ｏポート７０５に入力される。７１５は高圧ユニットであり、ＣＰＵ７０１の指示に従って、前述の１次帯電器１１３、現像器１１８、転写前帯電器１１９、転写帯電器１２７、分離帯電器１２８へ高圧を出力する。
【００６８】
ＣＣＤユニット１０６から出力された画像信号はコントローラユニット３０により、後述する異なる画像処理を行い、画像データに従って１１７のレーザーユニットの制御信号を出力する。
【００６９】
レーザーユニット１１７から出力されるレーザ光は感光ドラム１１０を照射して露光する。なお、レーザ光は、非画像領域において受光センサであるところのビーム検知センサ７１３によって発光状態が検知され、その出力信号がＩ／Ｏポート７０５に入力される。そして、光量調整や、ＢＤ信号処理等が実行される。
【００７０】
図７は、図６に示したコントローラユニット３０の構成を説明するブロック図である。
【００７１】
図７において、コントローラユニット３０は画像入力デバイスであるスキャナ１０や画像出力デバイスであるプリンタ２０と接続する。また、コントローラユニット３０は、一方ではＬＡＮ２０１１や公衆回線（ＷＡＮ）２０５１接続することで、画像情報やデバイス情報の入出力を行う為のコントローラである。
【００７２】
ＣＰＵ２００１はシステム全体を制御するコントローラである。ＲＡＭ２００２はＣＰＵ２００２が動作するためのシステムワークメモリであり、画像データを一時記憶するための画像メモリでもある。
【００７３】
ＲＯＭ２００３はブートＲＯＭであり、システムのブートプログラムが格納されている。ＨＤＤ２００４はハードディスクドライブで、システムソフトウェア、画像データ、ソフトウェアカウンタ値などを格納する。
【００７４】
操作部Ｉ／Ｆ２００６は操作部（ＵＩ）１４０とのインタフェース部で、操作部１４０に表示する画像データを操作部１４０に対して出力する。
【００７５】
また、操作部１４０から本システム使用者が入力した情報を、ＣＰＵ２００１に伝える役割をする。
【００７６】
Ｎｅｔｗｏｒｋ２０１０はＬＡＮ２０１１に接続し、情報の入出力を行う。Ｍｏｄｅｍ２０５０は公衆回線２０５１に接続し、情報の入出力を行う。
【００７７】
Ｂｌｕｅｔｏｏｈユニット５００は携帯端末との情報通信を行うための入出力制御を行う。時刻計測ユニット２２００にはリアルタイムクロックなどが用いられ、カレンダとして時刻の計測を行う。
【００７８】
スキャナ、プリンタ通信Ｉ／Ｆはスキャナ１０、プリンタ２０のＣＰＵ７０１とそれぞれ通信を行うためのＩ／Ｆである。以上のデバイスがシステムバス２００７上に配置される。
【００７９】
Ｉｍａｇｅ  Ｂｕｓ  Ｉ／Ｆ２００５は、システムバス２００７と画像データを高速で転送する画像バス２００８を接続し、データ構造を変換するバスブリッジである。
【００８０】
画像バス２００８は、ＰＣＩバスまたはＩＥＥＥ１３９４で構成される。画像バス２００８上には以下のデバイスが配置される。ラスターイメージプロセッサ（ＲＩＰ）２０６０はＰＤＬコードをビットマップイメージに展開する。
【００８１】
デバイスＩ／Ｆ部２０２０は、画像入出力デバイスであるスキャナ１０やプリンタ２０とコントローラ３０を接続し、画像データの同期系／非同期系の変換を行う。
【００８２】
スキャナ画像処理部２０８０は、入力画像データに対し補正、加工、編集を行う。プリンタ画像処理部２０９０は、プリント出力画像データに対して、プリンタの補正、解像度変換等を行う。画像回転部２０３０は画像データの回転を行う。画像圧縮部２０４０は、多値画像データはＪＰＥＧ、２値画像画像データはＪＢＩＧ、ＭＭＲ、ＭＨの圧縮伸張処理を行う。
【００８３】
＜ポインタ情報の検出＞
図１に示したスキャナ１０により読み込まれる原稿のオリジナルデータの所在を示すポインタ情報を、スキャナ１０でスキャンした原稿から抽出する為のＯＣＲ／ＯＭＲ処理について、図８に示すフローチャートを参照して説明する。
【００８４】
図８は、本発明に係る画像処理装置における第１のデータ処理手順の一例を示すフローチャートである。なお、本処理は、スキャナ１０から読み取られる原稿画像中に付加された２次元バーコード（ＱＲコードシンボル）を復号して、データ文字列を出力する処理例である。なお、（３００）〜（３０８）は各ステップを示す。また、各ステップは、図７に示したＣＰＵ２００１がＲＯＭ２００３、ハードディスク２００４に記憶される制御プログラムをＲＡＭ２００２上にロードして実行することで実現される。
【００８５】
まず、画像処理装置２２０内のコントローラユニット３０内のＲＡＭ２００２上に確保されるページメモリに格納された原稿のメモリイメージをＣＰＵ２００１で走査する。そして、公知の像域分離処理の結果から、所定の２次元バーコードシンボルの位置を検出する（３００）。
【００８６】
なお、ＱＲコードの位置検出パターンは、四角形シンボルの４隅のうちの３隅に配置される同一の位置検出要素パターンから構成される。
【００８７】
次に、位置検出パターンに隣接する形式情報を復元し、シンボルに適用されている誤り訂正レベルおよびマスクパターンを得る（３０１）。
【００８８】
そして、シンボルの型番を決定した後（３０２）、形式情報で得られたマスクパターンを使って符号化領域ビットパターンをＸＯＲ演算することによってマスク処理を解除する（３０３）。
【００８９】
そして、モデルに対応する配置規則に従い、シンボルキャラクタを読取り、メッセージのデータ及び誤り訂正コード語を復元する（３０４）。そして、復元されたコード上に、誤りがあるかどうかの検出を行い（３０５）、誤りが検出された場合、ステップ（３０６）に分岐し、これを訂正する。なお、誤りが検出されない場合、ステップ（３０７）へ分岐する。
【００９０】
次に、誤り訂正されたデータより、モード指示子および文字数指示子に基づいて、データコード語をセグメントに分割する（３０７）。
【００９１】
最後に、仕様モードに基づいてデータ文字を復号し、結果を出力して（３０８）、本処理を終了する。
【００９２】
なお、２次元バーコード内に組み込まれたデータは、対応するファイルのアドレス情報を表しており、例えばファイルサーバ名およびファイル名からなるパス情報で構成される。或いは、対応するファイルへのＵＲＬ（Uniform Resource Locator）で構成されるものであってもよい。
【００９３】
本実施形態では、ポインタ情報が２次元バーコードを用いて付与された原稿について説明したが、文字列でポインタ情報が記録されるようにしてもよい。
【００９４】
その場合は所定のルールに従った文字列のブロック（例えば予め決められた位置にある文字ブロック）を先の像域分離処理で検出する。そして、該ポインター情報を示す文字列ブロックの各文字を文字認識する事で、元ファイルのアドレス情報を得る事が可能である。
【００９５】
又、原稿中の文字列に対して隣接する文字と文字の間隔等に微小な変調を加えるなどすることにより、該文字間隔に情報を埋め込むことでもポインタ情報を付与できる。例えば、後述する文字認識処理を行う際に各文字の間隔を検出すれば、ポインタ情報が得られる。又、自然画の中に不可視の電子透かしとしてポインタ情報を付加する事も可能である。
【００９６】
このように本実施形態における画像処理装置は、スキャナ１０を備え、読み取られる原稿のオリジナルデータをネットワーク上の登録先から取得して出力する。
【００９７】
そして、スキャナ１０により読み取られた複数ページ分のオリジナルデータをグループ化するグループ化機能（後述する図９に示すステップ（４０３））を有する。これにより、入力した複数ページ分の原稿を任意ページ数毎に、グループに分割できる。
【００９８】
さらに、グループ化機能でグループ化された各グループに所定の認証レベルを設定する設定機能を有する。これにより、各グループの認証レベルを任意に設定することができる。
【００９９】
さらに、設定された所定の認証レベル毎に、各グループのオリジナルデータを取得するためのリンク情報を付加する付加機能（後述する図９に示すステップ（４０５））を有する。
【０１００】
また、ユーザの認証レベルに基づいて、前記リンク情報を参照して印刷すべきグループの各オリジナルデータの取得先を切り替える制御機能（後述する図１５に示す制御手順）とを有することを特徴とする。具体的な、切り替え処理は、図１３において詳述する。そして、画像処理装置２２０はユーザを認証する仕組みと、認証したユーザの認証レベルを識別するための仕組みが備わっている。画像形成装置２２０の使用を許可するユーザ情報（ユーザＩＤやパスワード）と、各ユーザ情報に対応付けられた認証レベルとを有するユーザ情報テーブルをコントローラ３０内のＨＤＤ２００４などに記憶している。そして、操作部１４０などを用いて入力されたユーザＩＤとパスワードによってユーザ認証の要求を受け付けたら、ユーザ情報テーブルを参照して認証要求に対する許可／禁止応答を行うとともに、認証したユーザの認証レベルを認識する。
【０１０１】
また、スキャナ１０により読み取られた画像データを解析して得られるポインタ情報に基づいて、オリジナルデータのリンク情報を図１４に示すように探索する。
【０１０２】
さらに、ポインタ情報は、オリジナルデータのリンク情報を管理している所在情報である。本実施形態では、ファイルサーバ２１１上で管理される。
【０１０３】
また、ネットワーク上のデータ処理装置、例えばファイルサーバ２１１は、ユーザの認証レベルと出力履歴との対応を管理する管理テーブル（後述する管理テーブルＴＡＢ）を備える。そして、コントローラ３０が、スキャナ１０により読み取られた画像データを解析して得られるポインタ情報を検出した場合に、管理テーブルを参照して、オリジナルデータの取得先を切り換える。
【０１０４】
以下では、スキャナ１０から読み取られる原稿のオリジナルデータへのリンク作成処理について、図９に示すフローチャートを参照して説明する。
【０１０５】
図９は、本発明に係る画像処理装置における第２のデータ処理手順の一例を示すフローチャートである。なお、本処理は、スキャナ１０から読み取られる原稿のオリジナルデータへのリンク作成処理例である。なお、（４００）〜（４０７）は各ステップを示す。また、各ステップは、図７に示したＣＰＵ２００１がＲＯＭ２００３、ハードディスク２００４に記憶される制御プログラムをＲＡＭ２００２上にロードして実行することで実現される。
【０１０６】
まず、ステップ（４０１）で、原稿台の原稿をスキャナ１０で読み取る。そして、ステップ（４０２）で、ＵＩ画面上からオリジナルデータ作成モード（ＩＣＯＰＹモード）になっているかどうか判定する。ＩＣＯＰＹモードであると判断した場合は、ステップ（４０３）へ進み、ＩＣＯＰＹモードでないと判断した場合は、ステップ（４０７）へ進み、通常印刷をして、処理を終了する。なお、ステップ（４０７）の通常印刷とは、スキャナ１０から読み取った原稿の画像データを、操作部１４０で設定された画像処理条件で処理して画像出力する複写処理である。
【０１０７】
以下、ステップ（４０３）以降では、スキャナ１０で原稿を読み取り、オリジナルデータのグループを作成しグループ毎にオリジナルデータの所在を示すポインタである二次元バーコードの付加を行う。
【０１０８】
図１０は、図１に示したスキャナ１０に読み取られる原稿束に対するグループ化処理を説明する模式図である。
【０１０９】
図１０に示す例は、ＯＤはオリジナル原稿で、グループＡ〜Ｄにそれぞれ二次元バーコードを付加してそれぞれ登録する例である。各グループに付加される二次元バーコードはグループごとに異なるものである。
【０１１０】
図１１は、図１に示した操作部１４０に表示されるグループ化設定のためのユーザインタフェース画面の一例を示す図である。このグループ化設定画面は、コントローラユニット３０のＣＰＵ２００１の制御により表示される。
【０１１１】
なお、図１１に示す画面例は、図１０に示すオリジナル原稿ＯＤをグループＡ〜Ｄに仕分けた場合の表示例である。
【０１１２】
また、グループＡは、スタートページＰ１〜Ｐ３の３ページから構成される。さらに、グループＢは、スタートページＰ４〜Ｐ６の３ページから構成される。また、グループＣは、スタートページＰ７〜Ｐ９の３ページから構成される。さらに、グループＤは、スタートページＰ１０〜Ｐ１２の３ページから構成される。
【０１１３】
図９に示すステップ（４０３）では、図１１のようなＵＩ画面が現れ、読み取った原稿をグループ分けして、ＯＫボタンＢＴ１０を押されたことをＣＰＵ２００１が検出すると、ステップ（４０４）へ進む。
【０１１４】
そして、ステップ（４０４）で、図１２に示す認証レベル設定ユーザインタフェース画面が表示される。
【０１１５】
図１２は、図１に示した操作部１４０に表示される認証レベル設定のためのユーザインタフェース画面の一例を示す図である。この認証レベル設定画面は、コントローラユニット３０のＣＰＵ２００１の制御により表示される。
【０１１６】
図１２に示す例では、グループＡに「１」、グループＢに「２」、グループＣに「３」、グループＤに「１」に認証レベルを設定した状態に対応する。なお、ＢＴ１１はボタンで、表示された認証レベルを確定する場合にユーザにより設定される。なお、認証レベル数は、「１」〜「３」以外に、さらに細かく、あるいは、粗く設定してもよい。
【０１１７】
また、これらの認証レベルは、後述するように、いずれかのグループの原稿をスキャナ１０から読み込ませる場合に、操作部１４０でユーザ認証されるレベルと対応づけられている。また、各ユーザの認証レベルは、管理者モード等により、内部のメモリにテーブルとして記憶されているものとする。
【０１１８】
なお、操作部１４０において、図１２に示した認証レベル設定画面で、各グループに対して、認証レベルをテンキー１０２８等を操作して設定した後、ボタンＢＴ１１をユーザが押下する。これにより、処理がステップ（４０５）に移り、操作部１４０には、図１３に示すリンク制御設定画面をコントローラユニット３０のＣＰＵ２００１の制御により表示する。
【０１１９】
図１３は、図１に示した操作部１４０に表示されるリンク設定のためのユーザインタフェース画面の一例を示す図である。このリンク設定画面は、コントローラユニット３０のＣＰＵ２００１の制御により表示される。
【０１２０】
図１３において、認証レベル「１」の人は、通常グループＡ及びグループＤの資料がリンクされるがデータ作成者がグループＡのみで良いと判断した場合はこの画面でグループＤをこの削除することができる。
【０１２１】
なお、本実施形態ではユーザ認証のレベルを１〜３に分類しているが、数字が大きいほどより上位の認証レベルであるものとする。そして、上位の認証レベルは下位の認証レベルの権限を包含する。従って、認証レベル２は認証レベル１の権限を包含し、認証レベル３は認証レベル１、認証レベル２それぞれの権限を包含する。図１２、１３の例ではグループＣは認証レベル３のユーザしかアクセスすることができない。一方、グループＢは認証レベル１、２のユーザがアクセスできる。そして、グループＡ、Ｄは認証レベル１〜３のユーザがアクセスできる。
【０１２２】
ここで、原稿内のポインタは、図１４に示すようにポインタ情報を管理するサーバ２１１上の管理領域２１１Ａを指すようにする。また、管理領域２１１Ａは、管理テーブルＴＡＢを参照するためのポインタも設定されている。
【０１２３】
図１４は、図１に示した画像処理装置２２０から読み取られる原稿のリンク先を説明する図である。
【０１２４】
図１４に示すように、実際のリンク先は、例えば図１に示したファイルサーバ２１１が記憶するテーブルを参照するようにしている。このため、各グループに入れるポインタ情報（図１４に示す管理領域２１１Ａを指す情報）は全て同じもので良く、ポインタのリンク先解析を単純に済ませることができる。
【０１２５】
また、本実施形態では、ポインタ情報とともに読み取った原稿自身のグループ番号と、原稿読み取りを指示したユーザの認証レベルもコード化する。例えば、図１３に示すように、グループＡの原稿をスキャンしたユーザの認証レベルが「１」であれば、グループＤのデータのデータが出力される。ユーザの認証レベルは、グループＡの原稿読取り時に、後述するユーザ認証処理で認証されたユーザの認証レベルである。
【０１２６】
また、グループＡの原稿をスキャンしたユーザの認証レベルが「２」のユーザであれば、グループＡの原稿ではなく、グループＢの原稿の画像データが出力されるようファイルサーバ２１１側の参照テーブルＴＡＢで管理している。
【０１２７】
同様に、グループＢの原稿をスキャンしたユーザの認証レベルが「２」であれば、グループＢの原稿の画像データではなく、グループＤの原稿の画像データが出力される。
【０１２８】
同様に、グループＢの原稿をスキャンしたユーザの認証レベルが「３」であれば、グループＢの原稿の画像データではなく、グループＣの原稿の画像データが出力されるようファイルサーバ２１１側の参照テーブルＴＡＢで管理している。
【０１２９】
図９に示すステップ（４０５）では、図１３に示したリンク設定画面が操作部１４０に表示される。そして、認証レベルごとの文書のリンク（グループ先）を作成する。そして、図１３において、ボタンＢＴ１２が押下指示されると、ステップ（４０６）へ進む。
【０１３０】
そして、ステップ（４０６）で、ステップ（４０５）で、作成したサーバ２１１にあるリンク先の記憶装置へ読み取った各グループの原稿の画像データを保存して、オリジナルデータの作成処理を終了する。
【０１３１】
なお、ここで、グループＡのオリジナルデータを取得するためのポインタ情報を二次元バーコード化し、プリンタ部２０から印刷するようにしても良い。
【０１３２】
これにより、図１３において設定されたリンク先の記憶装置に、読み取った各グループの原稿の画像データを登録することができる。
【０１３３】
この際、サーバ２１１には、各グループの原稿の画像データが記憶されているリンク先を示す参照テーブルＴＡＢも登録される。
【０１３４】
次に、上記図９に示したフローチャートに基づいて、原稿から読み取られるオリジナルデータへリンクして、その原稿の画像データを取得して印刷する処理について説明する。
【０１３５】
図１５は、本発明に係る画像処理装置における第３のデータ処理手順の一例を示すフローチャートである。なお、本処理は、スキャナ１０から読み取られる原稿のオリジナルデータの取得処理例である。なお、（５０１）〜（５０８）は各ステップを示す。また、各ステップは、図７に示したＣＰＵ２００１がＲＯＭ２００３、ハードディスク２００４に記憶される制御プログラムをＲＡＭ２００２上にロードして実行することで実現される。
【０１３６】
先ず、ステップ（５０１）で、スキャナ１０で原稿を読み取り、ステップ（５０２）で、図７に示したスキャナ画像処理部２０８０で読み取った原稿に対して画像処理を行う。そして、リンク先の検索を行い、オリジナルデータへのポインタがあるかどうかＣＰＵ２００１が判定する。ここで、オリジナルデータへのポインタがあると判定した場合は、ステップ（５０３）へ進む。なお、ここで、オリジナルデータへのポインタは、二次元バーコードに設定されているものとする。
【０１３７】
一方、ステップ（５０２）で、オリジナルデータへのポインタがないと判定した場合は、ステップ（５０７）で、そのまま印刷するかどうかＣＰＵ２００１が判定する。そして、印刷すると判断した場合は、ステップ（５０８）で、操作部１４０上でユーザが設定した複写モードに基づいて、通常印刷を行い、印刷しない場合は、本処理を終了する。
【０１３８】
一方、ステップ（５０２）で、オリジナルデータへのポインタがあるとＣＰＵ２００１が判定した場合は、ステップ（５０３）で、ユーザ認証を行い、ステップ（５０４）へ進む。
【０１３９】
なお、ユーザ認証方法は、ユーザが操作部１４０から入力するパスワードによる認証や、ユーザ自身の生態認証や、ユーザが携帯するＩＣカードによる認証など何でも良い。このユーザ認証に照合される
そして、ステップ（５０４）で、ユーザの出力情報テーブルのチェックを行う。
【０１４０】
例えば上記図９に示す処理で作成した原稿に対してユーザの認証レベルが「３」のユーザＣがオリジナル原稿の印刷を行う場合、グループＡ〜Ｄの全ての文書を印刷することができる。
【０１４１】
ここで、初めて文書をスキャンした場合、図１６に示すようなユーザの出力情報を管理している管理テーブルＴＡＢにユーザＣの情報がないため、管理テーブルにユーザＣの情報を加える必要がある。
【０１４２】
図１６、図１７は、図１に示したファイルサーバ２１１に記憶される管理テーブルの一例を示す図である。
【０１４３】
本例は、ユーザ毎に、認証レベルと、出力履歴を管理している例である。なお、管理テーブルＴＡＢは、ファイルサーバ２１１以外のサーバ装置の記憶装置で管理する構成としてもよい。
【０１４４】
この処理については、図１５に示すステップ（５０６）で詳述する。
【０１４５】
なお、管理テーブルＴＡＢはリンク先であるファイルサーバ２１１の記憶装置内にあるものとする。
【０１４６】
次に、ステップ（５０５）では、リンク先の記憶装置に登録された原稿の画像データをネットワークを介して取得して印刷する。
【０１４７】
一方、上記ステップ（５０４）で、管理テーブルがないと判断した場合、グループＡを出力してよいか操作部１４０に通知してユーザに尋ね、ＯＫボタン等が指示されたとＣＰＵ２００１が判断した場合、グループＡの原稿の画像データを出力する。
【０１４８】
また、ＯＫボタン等が指示されていないとＣＰＵ２００１が判断した場合、認証レベルが「３」のユーザＣが原稿としてスキャンした原稿がグループＡであった場合、グループＢの原稿の画像データを出力する。原稿がグループＢであった場合、グループＣの原稿の画像データを出力する。
【０１４９】
さらに、管理テーブルがあった場合は、管理テーブルのリンク先に従い、そのリンク先の記憶装置から登録された原稿の画像データをネットワークを介して取得して印刷を行う。
【０１５０】
なお、管理テーブルの値がグループＤとなっている場合は、全て印刷していますが、印刷を行いますか等を操作部１４０のＵＩ画面を表示して、印刷を行う場合は、Ａ〜Ｄのグループを選択して印刷を行う。
【０１５１】
或いは、過去に出力したグループのデータは再出力させないというように設定することも可能である。この場合、管理テーブルの値がグループＤになっている場合は、これ以上の印刷出力は禁止されることになる。
【０１５２】
そして、ステップ（５０６）で、印刷後に管理テーブルを、ユーザＣに対する認証レベルと出力履歴とを、図１７に示すテーブルの内容に書き換えて、本処理を終了する。
【０１５３】
これにより、オリジナルデータに認証レベルを設け、認証レベルに従ったオリジナルデータへのリンクをはることにより、認証レベルごとに必要なデータをユーザが意識せずに取り出すことを可能となり、ユーザの利便性が向上する。
【０１５４】
また、ユーザごとの管理テーブルを書き換えることにより、出力されたシートのポインタ情報を書き換えることなく出力するオリジナルデータのリンク先を変更することも可能となる。
【０１５５】
〔他の実施形態〕
以下、図１８に示すメモリマップを参照して本発明に係る画像処理装置で読み取り可能なデータ処理プログラムの構成について説明する。
【０１５６】
図１８は、本発明に係る画像処理装置で読み取り可能な各種データ処理プログラムを格納する記憶媒体のメモリマップを説明する図である。
【０１５７】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１５８】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１５９】
本実施形態における図８，図９，図１５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１６０】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１６１】
この場合、記憶媒体から読み出されたプログラムコード自体が本発明の新規な機能を実現することになり、そのプログラムコードを記憶した記憶媒体は本発明を構成することになる。
【０１６２】
従って、プログラムの機能を有していれば、オブジェクトコード、インタプリタにより実行されるプログラム、ＯＳに供給するスクリプトデータ等、プログラムの形態を問わない。
【０１６３】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１６４】
この場合、記憶媒体から読出されたプログラムコード自体が前述した実施形態の機能を実現することになり、そのプログラムコードを記憶した記憶媒体は本発明を構成することになる。
【０１６５】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１６７】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１６８】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１６９】
本発明は上記実施形態に限定されるものではなく、本発明の趣旨に基づき種々の変形（各実施形態の有機的な組合せを含む）が可能であり、それらを本発明の範囲から排除するものではない。
【０１７０】
本発明の様々な例と実施形態を示して説明したが、当業者であれば、本発明の趣旨と範囲は、本明細書内の特定の説明に限定されるのではない。
【図面の簡単な説明】
【０１７１】
【図１】本発明の第１実施形態を示す画像処理装置を適用可能な画像処理システムの一例を示す図である。
【図２】図１に示した画像処理装置の外観構成を説明する図である。
【図３】図２に示した画像処理装置の構成を説明する断面図である。
【図４】図２に示した操作部の構成を説明する平面図である。
【図５】図４に示した操作パネルのＬＣＤ表示部に表示される基本画面を示す図である。
【図６】図１に示した画像処理装置のスキャナ、プリンタの構成を示すブロック図である。
【図７】図６に示したコントローラユニットの構成を説明するブロック図である。
【図８】本発明に係る画像処理装置における第１のデータ処理手順の一例を示すフローチャートである。
【図９】本発明に係る画像処理装置における第２のデータ処理手順の一例を示すフローチャートである。
【図１０】図１に示したスキャナに読み取られる原稿束に対するグループ化処理を説明する模式図である。
【図１１】図１に示した操作部に表示されるグループ化設定のためのユーザインタフェース画面の一例を示す図である。
【図１２】図１に示した操作部に表示される認証レベル設定のためのユーザインタフェース画面の一例を示す図である。
【図１３】図１に示した操作部に表示されるリンク設定のためのユーザインタフェース画面の一例を示す図である。
【図１４】図１に示した画像処理装置から読み取られる原稿のリンク先を説明する図である。
【図１５】本発明に係る画像処理装置における第３のデータ処理手順の一例を示すフローチャートである。
【図１６】図１に示したファイルサーバに記憶される管理テーブルの一例を示す図である。
【図１７】図１に示したファイルサーバに記憶される管理テーブルの一例を示す図である。
【図１８】本発明に係る画像処理装置で読み取り可能な各種データ処理プログラムを格納する記憶媒体のメモリマップを説明する図である。
【符号の説明】
【０１７２】
１０  スキャナ
２０  プリンタ
３０  コントローラ
１４０  操作部
２１０  ファイルサーバ
２１２，２１３  パソコン
２２０  画像処理装置
【図１】
2007166058.tif 000003
【図２】
2007166058.tif 000004
【図３】
2007166058.tif 000005
【図４】
2007166058.tif 000006
【図５】
2007166058.tif 000007
【図６】
2007166058.tif 000008
【図７】
2007166058.tif 000009
【図８】
2007166058.tif 000010
【図９】
2007166058.tif 000011
【図１０】
2007166058.tif 000012
【図１１】
2007166058.tif 000013
【図１２】
2007166058.tif 000014
【図１３】
2007166058.tif 000015
【図１４】
2007166058.tif 000016
【図１５】
2007166058.tif 000017
【図１６】
2007166058.tif 000018
【図１７】
2007166058.tif 000019
【図１８】
2007166058.tif 000020